(57)【要約】【課題】従来の電気掃除機において、電動送風機の保持が適正でなく、吸い込み力が低下する原因になっていること。【解決手段】ブラケット８と、ブラケット８内に設けた電動機２と、電動機２によって回転駆動されるインペラ４と、インペラ４の外周に設けられ、表面に複数の静翼を有していて隣り合う静翼間にボリュート室を形成したエアガイド５と、インペラ４及びエアガイド５を覆うファンケース６を設け、ファンケース６の吸い込み口に対向し気流の流れをスムーズに導くように構成されたササエイタ１８を設け、ファンケース６にササエイタ１８が位置決めできるようなリブ２４を設けてなる電気掃除機としたので、ササエイタ１８の位置ずれを防止してスムーズな気流を実現し、吸い込み力低下の防止が図れるものである。【選択図】図１
2007061231.tif 000002
【特許請求の範囲】
【請求項１】
ブラケットと、このブラケット内に設けた電動機と、前記電動機によって回転駆動されるインペラと、前記インペラの外周に設けられ、表面に複数の静翼を有していて隣り合う静翼間にボリュート室を形成したエアガイドと、前記インペラ及びエアガイドを覆うファンケースと、前記ファンケースの略中央吸気口に設けたファンケーススペーサと、前記ファンケースを掃除機本体に保持させるサポートゴムと、前記サポートゴムに保持されると共にその略中央開口部を前記ファンケーススペーサの略中央吸い込み口周縁に対向させ気流を前記ファンケースの吸気口にスムーズに導くササエイタとを備え、前記ファンケーススペーサはその略中央吸い込み口周縁に環状のリブを突設し、このリブに前記ササエイタの略中央開口部を嵌合させて当該ササエイタを前記ファンケーススペーサに保持させた電気掃除機。
【請求項２】
ブラケットと、このブラケット内に設けた電動機と、前記電動機によって回転駆動されるインペラと、前記インペラの外周に設けられ、表面に複数の静翼を有していて隣り合う静翼間にボリュート室を形成したエアガイドと、前記インペラ及びエアガイドを覆うファンケースと、前記ファンケースの略中央吸気口に設けたファンケーススペーサと、前記ファンケースを掃除機本体に保持させるサポートゴムと、前記サポートゴムに保持されると共にその略中央開口部を前記ファンケーススペーサの略中央吸い込み口周縁に対向させ気流を前記ファンケースの吸気口にスムーズに導くササエイタとを備え、前記ササエイタはその略中央開口部の周縁に環状筒部を設け、この環状筒部を前記ファンケーススペーサの略中央吸い込み口内周縁に嵌合させて当該ササエイタを前記ファンケーススペーサに保持させた電気掃除機。
【発明の詳細な説明】
【技術分野】
【０００１】
本発明は電動送風機を内蔵した電気掃除機に関するものである。
【背景技術】
【０００２】
従来のこの種の電気掃除機に内蔵した電動送風機は、図３、４に示されるような構成になっていた。
【０００３】
図３に示すように電動送風機１は電動機２のシャフト３に取付け固定されたインペラ４と、前記インペラ４の外周に対向して配置されたエアガイド５と、前記インペラ４とエアガイド５を内包し前記電動機２の外周に気密に取り付けられたファンケース６とで構成されており、前記ファンケース６の中央部にはファンケーススペーサ７を有していた。
【０００４】
また、電動機２を構成するブラケット８は、前記インペラ４で吸引された空気を排気する排気開口部９を設けていると共に、前記シャフト３に整流子１０と薄い珪素鋼板を積層して成る電機子コア１１を圧入固定し巻線１２を施したローター１３と、薄い珪素鋼板を積層して成る界磁コア１４に巻線１５を施したステーター１６を内蔵している。
【０００５】
また、前記ブラケット８には整流子１０と摺動できるカーボンブラシ（図示せず）を収納した異形管１７を設けている。
【０００６】
前記ファンケーススペーサ７と対向して気流がスムーズに導かれるような構成をしたササエイタ１８が設けられており、前記ササエイタ１８の外周はファンケース６の外周部に設けられたサポートゴム１９で保持されていた。
【０００７】
以上のような構成の動作を説明する。電動機２が運転してシャフト３に取付け固定されたインペラ４が高速で回転すると空気が吸込まれ気流が発生する。気流はササエイタ１８を経由してインペラ４の外周より排出されエアガイド５を経由してブラケット８内のローター１３、ステーター１６の巻線１２、１５と、カーボンブラシ（図示せず）を冷却した後に排気開口部９から排出される。電動送風機１より排出された空気は掃除機本体２０の排気口２１から外部へ排出されるものであった（例えば、特許文献１参照）。
【特許文献１】特開２００１−２３１７２６号公報
【発明の開示】
【発明が解決しようとする課題】
【０００８】
しかしながら、上記従来の構成では、ササエイタ１８の外周がゴム等で形成されたサポートゴム１９で保持されているため位置決めが不安定であり、掃除機本体にセットする際にササエイタ１８の略中央開口部と、ファンケーススペーサ７の略中央吸い込み口とがずれてしまい気流の乱れが生じて吸い込み力を低下させる課題があった。
【０００９】
本発明は上記課題を解決するもので、吸い込み仕事率を向上させる電気掃除機を提供することを目的とするものである。
【課題を解決するための手段】
【００１０】
前記従来の問題を解決するために本発明は、ブラケットと、このブラケット内に設けた電動機と、前記電動機によって回転駆動されるインペラと、前記インペラの外周に設けられ、表面に複数の静翼を有していて隣り合う静翼間にボリュート室を形成したエアガイドと、前記インペラ及びエアガイドを覆うファンケースと、前記ファンケースの略中央吸気口に設けたファンケーススペーサと、前記ファンケースを掃除機本体に保持させるサポートゴムと、前記サポートゴムに保持されると共にその略中央開口部を前記ファンケーススペーサの略中央吸い込み口周縁に対向させ気流を前記ファンケースの吸気口にスムーズに導くササエイタとを備え、前記ファンケーススペーサはその略中央吸い込み口周縁に環状のリブを突設し、このリブに前記ササエイタの略中央開口部を嵌合させて当該ササエイタを前記ファンケーススペーサに保持させた構成、或いはブラケットと、このブラケット内に設けた電動機と、前記電動機によって回転駆動されるインペラと、前記インペラの外周に設けられ、表面に複数の静翼を有していて隣り合う静翼間にボリュート室を形成したエアガイドと、前記インペラ及びエアガイドを覆うファンケースと、前記ファンケースの略中央吸気口に設けたファンケーススペーサと、前記ファンケースを掃除機本体に保持させるサポートゴムと、前記サポートゴムに保持されると共にその略中央開口部を前記ファンケーススペーサの略中央吸い込み口周縁に対向させ気流を前記ファンケースの吸気口にスムーズに導くササエイタとを備え、前記ササエイタはその略中央開口部の周縁に環状筒部を設け、この環状筒部を前記ファンケーススペーサの略中央吸い込み口内周縁に嵌合させて当該ササエイタを前記ファンケーススペーサに保持させた構成としてあり、ササエイタの位置ずれを防止して吸い込み力の向上が図れるものである。
【発明の効果】
【００１１】
本発明の電気掃除機は、ササエイタの位置ずれを防止して吸い込み力の向上が図れるものである。
【発明を実施するための最良の形態】
【００１２】
第１の発明は、ブラケットと、このブラケット内に設けた電動機と、前記電動機によって回転駆動されるインペラと、前記インペラの外周に設けられ、表面に複数の静翼を有していて隣り合う静翼間にボリュート室を形成したエアガイドと、前記インペラ及びエアガイドを覆うファンケースと、前記ファンケースの略中央吸気口に設けたファンケーススペーサと、前記ファンケースを掃除機本体に保持させるサポートゴムと、前記サポートゴムに保持されると共にその略中央開口部を前記ファンケーススペーサの略中央吸い込み口周縁に対向させ気流を前記ファンケースの吸気口にスムーズに導くササエイタとを備え、前記ファンケーススペーサはその略中央吸い込み口周縁に環状のリブを突設し、このリブに前記ササエイタの略中央開口部を嵌合させて当該ササエイタを前記ファンケーススペーサに保持させた構成としてあり、ササエイタは前記ファンケースの吸い込み口の形状に沿って位置決めされることになってササエイタの位置ずれ防止が図れる。
【００１３】
また第２の発明は、ブラケットと、このブラケット内に設けた電動機と、前記電動機によって回転駆動されるインペラと、前記インペラの外周に設けられ、表面に複数の静翼を有していて隣り合う静翼間にボリュート室を形成したエアガイドと、前記インペラ及びエアガイドを覆うファンケースと、前記ファンケースの略中央吸気口に設けたファンケーススペーサと、前記ファンケースを掃除機本体に保持させるサポートゴムと、前記サポートゴムに保持されると共にその略中央開口部を前記ファンケーススペーサの略中央吸い込み口周縁に対向させ気流を前記ファンケースの吸気口にスムーズに導くササエイタとを備え、前記ササエイタはその略中央開口部の周縁に環状筒部を設け、この環状筒部を前記ファンケーススペーサの略中央吸い込み口内周縁に嵌合させて当該ササエイタを前記ファンケーススペーサに保持させた構成としてあり、これまたササエイタは前記ファンケースの吸い込み口の形状に沿って位置決めされることになってササエイタの位置ずれ防止が図れると共に吸い込み口のＲ形状によりよりスムーズな気流が得られより吸い込み力の向上が図れる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における電気掃除機の電動送風機とササエイタの部分断面図を示すものである。尚、従来例と同一構成部品については同一符号を付してその説明を省略する。
【００１６】
図１において、電動送風機１は電動機２のシャフト３に取付け固定されたインペラ４と、前記インペラ４の外周に対向して配置されたエアガイド５と、前記インペラ４とエアガイド５を内包し前記電動機２の外周に気密に取り付けられたファンケース６とで構成されており、前記ファンケース６の略中央吸気口にはファンケーススペーサ７を有している。
【００１７】
また、電動機２を構成するブラケット８は前記シャフト３に整流子１０と薄い珪素鋼板を積層して成る電機子コア１１を圧入固定し、巻線１２を施したローター１３と、薄い珪素鋼板を積層して成る界磁コア１４に巻線１５を施したステーター１６を内蔵すると共に、前記ブラケット８には整流子１０と摺動できるカーボンブラシ１７を収納した異形管１８を設けている。
【００１８】
また、前記エアガイド５は複数の静翼２２を設けており前記隣り合う静翼２２間でインペラ４外周から排出された空気を導くボリュート室２３を形成している。
【００１９】
また、ファンケース６とササエイタ１８はサポートゴム１９で掃除機本体２０に保持されている。そして、前記ファンケーススペーサ７の略中央吸い込み口７ａには環状のリブ２４が突設してあり、このリブ２４の外周に前記ササエイタ１８の略中央開口部１８ａを略圧入嵌合させて、当該ササエイタ１８をファンケーススペーサ７に保持させてある。
【００２０】
以上のように構成された電動送風機１について以下その動作、作用を説明する。
【００２１】
まず、電動機２が運転してシャフト３に取付け固定されたインペラ４が高速で回転すると空気が吸い込まれ気流が発生する。この気流はササエイタ１８でスムーズにファンケーススペーサ７の略中央吸い込み口７ａよりインペラ４内に導かれ、その後にインペラ４外周より排出され、エアガイド５に設けた複数の静翼２２間で形成されたボリュート室２３を経由して、ブラケット８内のローター１３、ステーター１６の巻線１２、１５と、カーボンブラシ１７を冷却するものであった。
【００２２】
ここで前記ササエイタ１８はその略中央開口部１８ａをファンケーススペーサ７の略中央吸い込み口７ａに設けたリブ２４に略圧入嵌合させて、当該ササエイタ１８をファンケーススペーサ７に保持させてあるからササエイタ１８とファンケーススペーサ７のセンターズレを防止することができる。また、従来のようにササエイタ１８の略中央開口部１８ａをファンケース６に当接させるだけであればこれら両者間に隙間ができてこの隙間から空気が流入して気流の乱れが発生するが、この実施例の携帯によればリブ２４と略中央吸い込み口７ａとの勘合によってこのような気流の乱れも防止できるものである。
【００２３】
以上のように、本実施の形態においては、電動送風機１を掃除機本体２０にセットする際にササエイタ１８がずれることがなく、吸い込まれた気流はスムーズに電動送風機１内に確実に導かれるものである。
【００２４】
なお前記ササエイタ１８とファンケーススペーサ７の接合部にゴム等の軟体物を設けたり、接着剤でシールしたりすることにより、より確実に気流の乱れを防止して吸い込み力を向上させることができるのは言うまでもない。
【００２５】
（実施の形態２）
図２は、本発明の第２の実施の形態における電動送風機の電動送風機とササエイタの部分断面図を示すものである。なお第１の実施例と同一構成部品については同一符号を付してその説明を省略する。
【００２６】
ファンケーススペーサ７の吸い込み口に対向して設けられたササエイタ１８略中央開口部１８ａには筒状部１８ｂを設け、この筒状部１８ｂを前記ファンケーススペーサ７の略中央吸い込み口７ａのＲ形状７ｂに沿って形成し、当該筒状部１８ｂをファンケーススペーサ７の略中央吸い込み口７ａに嵌合させることにより、当該ササエイタ１８を前記ファンケーススペーサ７に保持させてある。これにより先の実施の形態１と同様位置決めできるとともにササエイタ１８とファンケーススペーサ７との間の隙間に生じる気流の乱れも防止できる。
【００２７】
以上のように、本実施の形態においては、ササエイタ１８略中央開口部１８ａにより吸い込まれた気流がよりスムーズに電動送風機１内に導かれることになり吸い込み力の向上が図れる。
【産業上の利用可能性】
【００２８】
以上のように、本発明にかかる電気掃除機は、電気掃除機の吸い込み仕事率の向上が図れ、電動送風機を用いる家庭用電化機器、産業機器等の用途にも幅広く適用できる。
【図面の簡単な説明】
【００２９】
【図１】本発明の実施の形態１における電気掃除機の電動送風機とササエイタの部分断面図
【図２】本発明の実施の形態２における電動送風機の電動送風機とササエイタの部分断面図
【図３】従来の電気掃除機における電動送風機とササエイタの部分断面図
【図４】従来の電動送風機を組み込んだ本体の部分平断面図
【符号の説明】
【００３０】
１      電動送風機
２      電動機
４      インペラ
５      エアガイド
６      ファンケース
７      ファンケーススペーサ
７ａ    略中央吸い込み口
８      ブラケット
９      排気開口部
１３    ローター
１６    ステーター
１８    ササエイタ
１８ａ  略中央開口部
１９    サポートゴム
２０    掃除機本体
２４    リブ
【図１】
2007061231.tif 000003
【図２】
2007061231.tif 000004
【図３】
2007061231.tif 000005
【図４】
2007061231.tif 000006